(57)【特許請求の範囲】
【請求項１】
ディスプレイ基板上に配列された複数の表示単位の光透過率を変化させることによって画像を表示画面に表示するディスプレイパネル装置に対し、光を与えるバックライト装置であって、
支持部と、
前記支持部に設けられ、前記ディスプレイパネル装置の背後に広がるバックライト領域中に発光点を作り出す複数の発光素子と、
前記複数の発光素子から発せられる光の強度を変化させることにより、または前記各発光素子の発光・非発光を切り替えることにより、前記バックライト領域中において前記発光点を、隣接する発光素子の方向へ連続的に移動させる発光制御手段と
を備え、
前記発光制御手段は、
前記バックライト領域の長手方向に沿う方向である横方向に前記発光点を移動させる横方向移動手段と、
前記バックライト領域の前記長手方向と交わる方向である縦方向に前記発光点を移動させる縦方向移動手段とを備えている
ことを特徴とするバックライト装置。
【請求項２】
前記発光制御手段は、前記複数の表示単位の配列に沿うように前記発光点を移動させることを特徴とする請求項１に記載のバックライト装置。
【請求項３】
前記横方向移動手段は、前記発光点の位置が、前記ディスプレイ基板の長手方向に沿う方向である横方向に一筋に配列された各表示単位の位置と順次一致するように、前記発光点を移動させることを特徴とする請求項１に記載のバックライト装置。
【請求項４】
前記縦方向移動手段は、前記発光点の位置が、前記ディスプレイ基板の長手方向と交わる方向である縦方向に配列された各表示単位の位置と一致するように、前記発光点を移動させることを特徴とする請求項１に記載のバックライト装置。
【請求項５】
前記発光制御手段は、互いに近接する２個以上の発光素子からそれぞれ発せられる光の強度比を変化させることにより、前記発光点を移動させることを特徴とする請求項１に記載のバックライト装置。
【請求項６】
前記発光素子は発光ダイオードであることを特徴とする請求項１に記載のバックライト装置。
【請求項７】
前記複数の発光素子は、前記バックライト領域内にマトリクス状に配列されていることを特徴とする請求項１に記載のバックライト装置。
【請求項８】
前記発光制御手段は、前記複数の発光素子から発せられる光の強度を変化させることにより、または前記各発光素子の発光・非発光を切り替えることにより、前記バックライト領域中において前記発光点を移動させる発光点移動モードと、前記複数の発光素子から発せられる光の強度をほぼ一定にすることによって前記バックライト領域全体を発光させる全体発光モードとのいずれかを選択することを特徴とする請求項１に記載のバックライト装置。
【請求項９】
前記発光点移動モード実行時における前記バックライト領域全体の光量と前記全体発光モード実行時における前記バックライト領域全体の光量との相違をなくしまたは減少させるように、前記複数の発光素子から発せられる光の強度を調整する第１調整手段を備えていることを特徴とする請求項８に記載のバックライト装置。
【請求項１０】
前記表示画面に表示される画像中において動きを有する領域である動き領域を検出する動き領域検出手段を備え、
前記発光制御手段は、前記動き領域検出手段による検出結果に基づき、前記動き領域に対応する前記バックライト領域中の部分領域内に限り、または前記動き領域を含む前記表示画面中の一部の領域に対応する前記バックライト領域中の部分領域内に限り、前記発光点を移動させることを特徴とする請求項１に記載のバックライト装置。
【請求項１１】
前記バックライト領域中の部分領域における光量と前記バックライト領域中の部分領域以外の領域における光量との相違をなくしまたは減少させるように、前記複数の発光素子から発せられる光の強度を調整する第２調整手段を備えていることを特徴とする請求項１０に記載のバックライト装置。
【請求項１２】
前記発光制御手段は、前記発光点の移動を、前記ディスプレイパネル装置における画像表示動作と同期させることを特徴とする請求項１に記載のバックライト装置。
【請求項１３】
前記発光制御手段は、前記発光点の移動開始から前記発光点の移動終了までの発光点移動期間の長さが、前記ディスプレイパネル装置において１個の画像が前記表示画面に表示される画像表示周期の１周期の長さよりも短くなるように、前記発光点の移動を制御することを特徴とする請求項１に記載のバックライト装置。
【請求項１４】
２個のディスプレイ基板間に設けられた液晶の光透過率を変化させることによって画像を表示画面に表示する液晶ディスプレイパネルユニットと、前記液晶ディスプレイパネルユニットに光を与えるバックライトユニットとを備えた液晶ディスプレイ装置であって、
前記バックライトユニットは、
支持部と、
前記支持部に設けられ、前記液晶ディスプレイパネルユニットの背後に広がるバックライト領域中に発光点を作り出す複数の発光素子と、
前記複数の発光素子から発せられる光の強度を変化させることにより、または前記各発光素子の発光・非発光を切り替えることにより、前記バックライト領域中において前記発光点を、隣接する発光素子の方向へ連続的に移動させる発光制御手段と
を備え、
前記発光制御手段は、
前記バックライト領域の長手方向に沿う方向である横方向に前記発光点を移動させる横方向移動手段と、
前記バックライト領域の前記長手方向と交わる方向である縦方向に前記発光点を移動させる縦方向移動手段とを備えている
ことを特徴とする液晶ディスプレイ装置。
【発明の詳細な説明】
【技術分野】
【０００１】
本発明は、例えば液晶ディスプレイ装置などに用いるのに適したバックライト装置、および液晶ディスプレイ装置に関する。
【背景技術】
【０００２】
現在、液晶ディスプレイ装置、プラズマディスプレイ装置、有機ＥＬ（Electroluminescence）ディスプレイ装置などの、いわゆるフラットディスプレイ装置の普及が拡大している。テレビやパソコン用モニターなどの市場では、ＣＲＴ（Cathode Ray Tube）ディスプレイ装置よりもフラットディスプレイ装置の方が一般的になりつつある。【０００３】
ところで、液晶ディスプレイ装置とＣＲＴディスプレイ装置との表示方式の相違が、液晶ディスプレイ装置において動画のぼけ（残像感）を引き起こす１つの原因であることが知られている。【０００４】
すなわち、ＣＲＴディスプレイ装置では、ＣＲＴ内部で電子ビームを高速で移動させて走査を行い、これにより表示画面中に画像を形成する。つまり、ＣＲＴディスプレイ装置では、電子ビームにより形成される光の点が表示画面中を高速で移動する。このため、表示画面中のきわめて小さな領域にのみ着目すると、例えば１フィールドの期間内において、この小さな領域から人間の目へ光が放たれるのは、ほんの一瞬（例えばμsecオーダの短い期間）である。【０００５】
このように、ＣＲＴディスプレイ装置では、表示画面中の同一の場所において実際に光が放たれている期間がきわめて短い。言い換えれば、表示画面中の同一の場所において光が消えている期間が長い。このため、動画を表示する場合のように、表示画面に表示される画像が次々に変化しても、人間は画像のぼけを感じない。次々に変化する画像が、残存効果により、人間においてちょうどいい具体に連続して認識されるのである。【０００６】
一方、液晶ディスプレイ装置では、表示すべき画像に応じて液晶分子の向きを設定し、これによりバックライト装置から放たれた光が液晶を透過する率を設定する。つまり、液晶ディスプレイ装置では、表示すべき画像に応じた液晶分子の向きが設定されてから、次に表示すべき画像に応じて液晶分子の向きが再設定されるまでの間（例えば１フィールドの期間）、バックライト装置から出力されて液晶を透過した光が表示画面全体から人間の目へ継続的に放たれている。このため、人間は、例えば１フィールドの期間中、べたな画像を継続的に見続けている状態にある。【０００７】
このように、液晶ディスプレイ装置では、表示画面中の同一の場所において一定の光が長い期間継続的に放たれている。このため、動画を表示する場合に、表示画面に表示される画像が次々に変化すると、人間は画像のぼけを感じる。初めに目に入った画像の残像が消える前に、次の画像が目に入ってしまうのである。【０００８】
このような液晶ディスプレイ装置における動画のぼけの改善を目指した技術がいくつか知られている。特開２０００−３２１９９３号公報（特許文献１）および特開２００１−９２３７０号公報（特許文献２）には、バックライト装置において、線状の発光領域を有する発光部材、例えば蛍光管を複数個設け、これら発光部材を順次点灯させる技術が記載されている。すなわち、１フィールドの期間内において、線状の発光領域を表示画面の上下方向に移動させ、これによりバックライト装置から人間の目へ光が放たれる時間を短くする。【０００９】
また、別の技術も知られている。つまり、表示画面に表示すべき映像データ中に、べたの黒塗りの画像データを挿入し、これにより、１フィールドの期間内において、画像が人間の目に実際に入る時間を短くする技術も知られている。【００１０】
【特許文献１】特開２０００−３２１９９３号公報
【特許文献２】特開２００１−９２３７０号公報
【発明の開示】
【発明が解決しようとする課題】
【００１１】
ところが、上述したような技術では、ＣＲＴディスプレイに匹敵する程度に動画ぼけ除去効果を高めるのが難しいという問題がある。【００１２】
すなわち、ＣＲＴディスプレイ装置では、電子ビームにより形成される光の点を移動させる。このため、表示画面中の同一場所において光が放たれる期間が一瞬であり、言い換えれば、表示画面中の同一場所において光が消えている期間が長い。この結果、ＣＲＴディスプレイ装置によれば、十分な動画ぼけ除去効果を得ることができる。【００１３】
これに対し、上述した特開２０００−３２１９９３号公報または特開２００１−９２３７０号公報に記載された技術では、表示画面の上下方向においてある程度の幅を有する太い線状の発光領域を移動させる。このため、表示画面の同一場所において光が放たれる期間が、光の点を移動させる場合と比較して長い。言い換えれば、表示画面中の同一場所において光が消えている期間が、光の点を移動させる場合と比較して短い。この結果、特開２０００−３２１９９３号公報または特開２００１−９２３７０号公報に記載された技術では、ＣＲＴディスプレイに匹敵する程度に動画ぼけ除去効果を高めることが難しい。【００１４】
また、映像データ中に黒塗り画像データを挿入する技術によれば、黒塗り画像データの表示期間を大幅に長くして、その分、本来表示すべき画像データの表示期間を大幅に短くすることにより、動画ぼけ除去効果を高めることができるとも思える。しかし、本来表示すべき画像データの表示期間を大幅に短くすると、液晶の応答性が悪いために、本来表示すべき画像データの表示が不完全になるおそれがある。つまり、本来表示すべき画像データに応じて液晶分子の向きを完全に設定するまでにはある程度の時間がかかる。このため、本来表示すべき画像データの表示期間を大幅に短くすると、当該画像データに応じて液晶分子の向きが完全に設定される前に、これに続く黒塗り画像データの表示のための液晶分子の向きの設定が開始されてしまう。それゆえ、この技術によっても、ＣＲＴディスプレイに匹敵する程度に動画ぼけ除去効果を高めることが難しい。【００１５】
一方、上述したような技術では、フリッカの発生を抑えつつ、動画ぼけ除去効果を高めるのが難しいという問題がある。【００１６】
すなわち、上述した、特開２０００−３２１９９３号公報または特開２００１−９２３７０号公報に記載された技術では、蛍光管が消灯している期間を長くすると、表示画面にフリッカが生じてしまうおそれがある。それゆえ、この技術では、フリッカの発生を抑えつつ、動画ぼけ除去効果を高めることが難しい。【００１７】
また、映像データ中に黒塗り画像データを挿入する技術によっても、黒塗りデータが表示されている期間を長くすることにより、フリッカが生じてしまうおそれがある。それゆえ、この技術によっても、フリッカの発生を抑えつつ、動画ぼけ除去効果を十分に実現することが困難である。【００１８】
本発明は上記に例示したような問題点に鑑みなされたものであり、本発明の第１の課題は、動画ぼけ除去効果を高めることができるバックライト装置および液晶ディスプレイ装置を提供することにある。【００１９】
本発明の第２の課題は、フリッカの発生を抑えつつ、動画ぼけ除去効果を高めることができるバックライト装置および液晶ディスプレイ装置を提供することにある。
【課題を解決するための手段】
【００２０】
上記課題を解決するために本発明のバックライト装置は、ディスプレイ基板上に配列された複数の表示単位の光透過率を変化させることによって画像を表示画面に表示するディスプレイパネル装置に対し、光を与えるバックライト装置であって、支持部と、前記支持部に設けられ、前記ディスプレイパネル装置の背後に広がるバックライト領域中に発光点を作り出す複数の発光素子と、前記複数の発光素子から発せられる光の強度を変化させることにより、または前記各発光素子の発光・非発光を切り替えることにより、前記バックライト領域中において前記発光点を、隣接する発光素子の方向へ連続的に移動させる発光制御手段とを備え、前記発光制御手段は、前記バックライト領域の長手方向に沿う方向である横方向に前記発光点を移動させる横方向移動手段と、前記バックライト領域の前記長手方向と交わる方向である縦方向に前記発光点を移動させる縦方向移動手段とを備えている。
【００２１】
上記課題を解決するために本発明の液晶ディスプレイ装置は、２個のディスプレイ基板間に設けられた液晶の光透過率を変化させることによって画像を表示画面に表示する液晶ディスプレイパネルユニットと、前記液晶ディスプレイパネルユニットに光を与えるバックライトユニットとを備えた液晶ディスプレイ装置であって、前記バックライトユニットは、支持部と、前記支持部に設けられ、前記液晶ディスプレイパネルユニットの背後に広がるバックライト領域中に発光点を作り出す複数の発光素子と、前記複数の発光素子から発せられる光の強度を変化させることにより、または前記各発光素子の発光・非発光を切り替えることにより、前記バックライト領域中において前記発光点を、隣接する発光素子の方向へ連続的に移動させる発光制御手段とを備え、前記発光制御手段は、前記バックライト領域の長手方向に沿う方向である横方向に前記発光点を移動させる横方向移動手段と、前記バックライト領域の前記長手方向と交わる方向である縦方向に前記発光点を移動させる縦方向移動手段とを備えている。
【図面の簡単な説明】
【００２２】
【図１】本発明の液晶ディスプレイ装置の第１実施形態を示す分解斜視図である。
【図２】図１中のディスプレイパネル本体における画素の配列を示す説明図である。
【図３】図１中のバックライト本体における発光素子の配列を示す説明図である。
【図４】図１中のバックライト制御部を示すブロック図である。
【図５】図１中のバックライト本体における発光素子の配列の一部、発光点および発光範囲を示す説明図である。
【図６】図１中のバックライト本体における発光素子の配列の一部、および横方向における発光点の移動を示す説明図である。
【図７】図１中のディスプレイパネル本体における画素の配列の一部、および横方向における発光点の移動を示す説明図である。
【図８】図１中のバックライト本体における発光素子の配列の一部、および縦方向における発光点の移動を示す説明図である。
【図９】図１中のディスプレイパネル本体における画素の配列の一部、および縦方向における発光点の移動を示す説明図である。
【図１０】画像表示動作と発光点移動との同期を示すタイミングチャートである。
【図１１】本発明のバックライトユニットの他の実施形態を示す説明図である。
【図１２】本発明の液晶ディスプレイ装置の第２実施形態におけるバックライト制御部を示すブロック図である。
【図１３】互いに近接した動き領域および発光点移動領域を示す説明図である。
【図１４】互いに離れた動き領域および発光点移動領域を示す説明図である。
【図１５】本発明の液晶ディスプレイ装置の第２実施形態における輝度情報収集処理を示す説明図である。
【図１６】本発明の実施例である液晶テレビジョンシステムを示すブロック図である。
【符号の説明】
【００２３】
１０  液晶ディスプレイパネルユニット
１１  ディスプレイパネル本体
１２  液晶制御部
１３、１４  ディスプレイ基板
１５  液晶
１６  表示画面
１７  画素（表示単位）
２０  バックライトユニット
２１  バックライト本体
２２、３０  バックライト制御部
２３  支持板
２４  発光素子
２６  バックライト領域
２７、３１  発光制御部（発光制御手段、横方向移動手段、縦方向移動手段）
２８  光量調整部（第１調整手段）
３２  動き領域検出部
３３  光量調整部（第２調整手段）
１００  液晶ディスプレイ装置
２００  液晶テレビジョンシステム
２０７  液晶制御回路
２０８  液晶ディスプレイパネル本体
２０９  バックライト制御部
２１０  発光制御回路
２１１  動き検出回路
２１２  光量調整回路
２１３  バックライト本体
【発明を実施するための最良の形態】
【００２４】
以下、本発明を実施するための最良の形態について実施形態毎に順に図面に基づいて説明する。【００２５】
（第１実施形態）
図１は、本発明の液晶ディスプレイ装置の第１実施形態を示している。図１中の液晶ディスプレイ装置１００は、表示画面に画像を表示する装置である。液晶ディスプレイ装置１００は、液晶ディスプレイパネルユニット１０およびバックライトユニット２０を備えている。【００２６】
液晶ディスプレイパネルユニット１０は、２個のディスプレイ基板１３、１４間に設けられた液晶１５の光透過率を変化させることによって画像を表示画面１６に表示する装置である。液晶ディスプレイパネルユニット１０は、ディスプレイパネル本体１１および液晶制御部１２を備えている。【００２７】
ディスプレイパネル本体１１において、ディスプレイ基板１３、１４はそれぞれ、例えばガラス基板である。ディスプレイ基板１３、１４のそれぞれにおいて、液晶１５に面する内側面には配向膜が設けられ、外側面には偏光板が設けられている。また、ディスプレイ基板１３、１４の内側面には、例えばＴＦＴ（Thin Film Transistor）および透明電極が設けられている。なお、配向膜、偏光板、ＴＦＴおよび透明電極については図示を省略している。【００２８】
液晶制御部１２は、透明電極およびＴＦＴを介して液晶１５に電圧を印加し、液晶１５の分子の向きを設定し、液晶１５の光透過率を変化させる。液晶制御部１２は、例えばＴＦＴ駆動回路により構成されている。液晶制御部１２は、例えばディスプレイパネル本体１１の枠部近傍に取り付けられている。【００２９】
図２はディスプレイパネル本体１１における画素の配列を示している。図２に示すように、画素１７、１７、…はディスプレイ基板１４上にマトリクス状に配列されている。例えばディスプレイ基板１４上にはＴＦＴが画素１７ごとに設けられている。液晶制御部１２はＴＦＴごとに電圧の印加を制御し、これにより液晶１５の分子の向きを画素１７ごとに設定する。表示画面１６に表示される画像は、液晶１５の分子の向きが画素１７ごとに設定されることにより形成される。つまり、画素１７は画像の表示単位である。【００３０】
図１に戻り、バックライトユニット２０は、ディスプレイパネル本体１１に光を与える装置である。バックライトユニット２０は、バックライト本体２１およびバックライト制御部２２を備えている。【００３１】
バックライト本体２１は、支持板２３、複数の発光素子２４、２４、…および拡散板２５を備えている。【００３２】
支持板２３は、例えばディスプレイ基板１４とほぼ同じ面積か、またはそれよりも大きい面積を有する板材である。ディスプレイパネル本体１１に面する支持板２３の表面２３Ａには反射板を設けてもよい。また、表面２３Ａ上にはバックライト領域２６が形成されている。バックライト領域２６は、ディスプレイパネル本体１１の背後に広がっている。【００３３】
発光素子２４は、ディスプレイパネル本体１１に向けて光を発するように、支持板２３の表面２３Ａ上に設けられている。複数の発光素子２４には、赤色の光を発する複数の発光素子（赤色発光素子）、緑色の光を発する複数の発光素子（緑色発光素子）および青色の光を発する複数の発光素子（青色発光素子）が含まれている。赤色発光素子、緑色発光素子および青色発光素子は、支持板２３上においてそれぞれ接近して配置されており、これら３種類の発光素子からそれぞれ発せられる光が混ざり合うことにより白色の光が作り出される。発光素子２４は例えば発光ダイオード（ＬＥＤ）である。発光素子２４として発光ダイオードを用いることにより、十分に大きな光強度を得ることができ、さらに、発光・非発光の高速切替および光強度変化の高速制御を実現することができる。例えば、発光素子２４は、赤色発光ダイオード、緑色発光ダイオードおよび青色発光ダイオードにより構成されている。【００３４】
なお、個々の発光素子２４を、単体で白色光を発する発光素子、例えば白色発光ダイオードにより構成してもよい。ただ、白色発光ダイオードの中には、発光色が純粋は白ではなく、青みがかった白であるものがあり、このような白色発光ダイオードを用いるのは、バックライトの色に関する性能を高める観点からは、好ましくない。これに対し、赤色発光素子、緑色発光素子および青色発光素子により発光素子２４を構成すれば、純粋な白色光を容易に作り出すことができる。【００３５】
バックライト本体２１は、拡散板２５を介して、ディスプレイパネル本体１１の背面に重ねるようにして取り付けられる。これにより、発光素子２４により作り出された白色の光が、バックライトとして、ディスプレイパネル本体１１の背後からディスプレイパネル本体１１に与えられる。なお、図１では、発光素子２４が設けられた支持板２３、拡散板２５およびディスプレイパネル本体１１をそれぞれ分解した状態で示している。【００３６】
図３は、バックライト本体２１における発光素子２４の配列を示している。図３に示すように、発光素子２４は、支持板２３上に形成されたバックライト領域２６内において、ｍ行、ｎ列からなるほぼマトリックス状に配列されている。発光素子２４は、バックライト領域２６の横方向において、赤色発光素子（Ｒ）、緑色発光素子（Ｇ）、青色発光素子（Ｂ）の配列パターンを複数回繰り返すように配列されている。なお、発光素子２４をスタガー状に配列してもよい。【００３７】
図４はバックライト制御部２２を示している。図４に示すように、バックライト制御部２２は、発光制御部２７および光量調整部２８を備えている。バックライト制御部２２は、例えば、支持部２３の表面２３上においてバックライト領域２６の周囲、または支持部２３の裏面などに取り付けられている。【００３８】
発光制御部２７は、各発光素子２４の発光を制御する。具体的には、発光制御部２７は、各発光素子２４の発光・非発光の切替、発光素子２４から発せられる光の強度の制御などを行う。発光制御部２７は、個々の発光素子２４ごとに、発光・非発光の切替および光の強度の制御を行うことができる構成であることが望ましい。発光素子２４が発光ダイオードである場合には、発光制御部２７は、例えば個々の発光ダイオードに印加する電圧をそれぞれ制御する電圧制御回路である。後述するように、バックライトユニット２０は、各発光素子２４の発光方式に関し、発光点移動モードと全体発光モードとを採用している。発光制御部２７は、画像の種類に基づいて、あるいはユーザの指示に従って、発光点移動モードと全体発光モードとのいずれかを選択する。発光制御部２７の発光制御は、発光点移動モードと全体発光モードとで異なる。なお、発光制御部２７は、発光制御手段、横方向移動手段および縦方向移動手段の具体例である。【００３９】
光量調整部２８は、発光点移動モード実行時におけるバックライト領域２６全体の光量と、全体発光モード実行時におけるバックライト領域２６全体の光量との相違をなくしまたは減少させるように、発光素子２４から発せられる光の強度などを調整する。光量調整部２８は、例えば、輝度情報を記憶した記憶装置と、発光制御部２７から各発光素子２４へ印加される電圧を輝度情報に基づいて調整する調整回路とを備えている。なお、光量調整部２８は第１調整手段の具体例である。【００４０】
バックライトユニット２０は例えば次のように動作する。バックライトユニット２０は、各発光素子２４の発光方式に関し、２通りの方式を採用している。つまり、発光点移動モードと全体発光モードである。発光点移動モードは、発光素子２４から発せられる光の強度を変化させることにより、または各発光素子２４の発光・非発光を切り替えることにより、バックライト領域２６中において発光点を移動させる方式である。発光点移動モードでは、ＣＲＴディスプレイ装置の電子ビームが表示画面を走査するが如く、バックライトユニット２０により作り出された光の点が表示画面１６中を移動する。一方、全体発光モードは、発光素子２４から発せられる光の強度をほぼ一定にすることによって、バックライト領域２６全体を発光させる方式である。全体発光モードでは、従来の液晶ディスプレイ装置におけるバックライトとほぼ同様に、表示画面１６全体に一斉に光が与えられる。【００４１】
発光制御部２７は、画像の種類に基づいて発光点移動モードと全体発光モードとのいずれかを選択する。例えば、発光制御部２７は、ディスプレイパネル本体１１の表示画面１６に表示される画像が動画であるのか静止画であるのかを判断する。そして、表示画面１６に表示される画像が動画であるときには、発光制御部２７は発光点移動モードを選択する。一方、表示画面１６に表示される画像が静止画であるときには、発光制御部２７は全体発光モードを選択する。画像が動画であるのか静止画であるのかの判断は、画像データに付加されている識別情報（例えば識別子）などに基づいて行うことができる。【００４２】
あるいは、発光制御部２７は、ユーザの指示に従って発光点移動モードと全体発光モードとのいずれかを選択する。例えば、ユーザが液晶ディスプレイ装置１００に設けられた操作スイッチやリモコン（いずれも図示せず）を操作し、発光点移動モードまたは全体発光モードを指定する旨の指示を入力する。発光制御部２７は、この指示に従って、発光点移動モードと全体発光モードとのいずれかを選択する。【００４３】
発光点移動モードが選択されたとき、発光制御部２７は、例えば図５ないし図９に示すように、発光素子２４から発せられる光の強度を変化させ、かつ各発光素子２４の発光・非発光を切り替えることにより、バックライト領域２６中において発光点を作り出し、この発光点を移動させる。なお、以下の説明において、バックライト領域２６中において第X列、第Y行に配置された発光素子２４を、発光素子（Ｘ，Ｙ）と表現する。【００４４】
すなわち、発光制御部２７は、まず、バックライト領域２６中に発光点を作り出す。具体的には、発光制御部２７は、バックライト領域２６中に配列された発光素子２４のうち、横方向に連続して並んだおよそ３個ないし５個の発光素子２４を選択し、これら選択した発光素子２４を発光させ、残りのすべての発光素子２４の発光を停止する。【００４５】
例えば、図５に示すように、発光制御部２７は、バックライト領域２６中に配列された発光素子２４のうち、発光素子（１、１）、発光素子（２、１）および発光素子（３、１）を点灯させ、これら以外の発光素子２４を消灯する。発光素子（１、１）、発光素子（２、１）および発光素子（３、１）の発光により、バックライト領域２６中の位置Ｐ１には発光点が作り出され、さらにこの発光点の周囲には発光範囲Ｒ１が作り出される。発光点における光強度ないし光量は、発光範囲Ｒ１内の他の領域における光強度ないし光量よりも大きい。発光素子（１、１）、発光素子（２、１）および発光素子（３、１）はそれぞれ赤色発光素子、緑色発光素子、青色発光素子であり、これらはそれぞれ赤色、緑色、青色の光を発する。そして、発光制御部２７は、発光点が純粋な白色となるように、発光素子（１、１）、発光素子（２、１）および発光素子（３、１）から発せられる光の強度をそれぞれ設定する。この結果、発光点および発光範囲Ｒ１における光は純粋な白色になる。【００４６】
次に、発光制御部２７は、表示画面１６中の画素１７の配列に沿うように発光点を移動させる。発光制御部２７は、まず、バックライト領域２６の横方向に発光点を移動させる。具体的には、発光制御部２７は、発光点の位置が、ディスプレイ基板１４または表示画面１６の横方向に一筋に配列された各画素の位置と順次一致するように、発光点を移動させる。発光点の横方向の移動は、バックライト領域２６の横方向に連続して一列に配列されたおよそ３個ないし５個の発光素子２４の全部または一部の発光・非発光を切り替え、または、バックライト領域２６の横方向に連続して一列に配列されたおよそ３個ないし５個の発光素子２４の全部または一部から発せられる光の強度（強度比）をそれぞれ変化させることにより行う。【００４７】
例えば、図６に示すように、発光制御部２７は、発光点を位置Ｐ１から位置Ｐ２へ、位置Ｐ２から位置Ｐ３へ、位置Ｐ３から位置Ｐ４へと順次移動させる。発光点が位置Ｐ１からＰ４へ移動すると、発光範囲もＲ１、Ｒ２、Ｒ３、Ｒ４と移動する。このような発光点および発光範囲の移動は、発光素子（１、１）、発光素子（２、１）、発光素子（３、１）および発光素子（４、１）の発光・非発光を切り替え、かつ、これらの発光素子から発せられる光の強度をそれぞれ適宜に変化させることにより行う。すなわち、発光点を位置Ｐ１から位置Ｐ４へ移動させるときには、発光制御部２７は、発光素子（１、１）の光強度を徐々に小さくする。これと同時に、発光制御部２７は、発光素子（４、１）を小さい光強度でまず発光させ、続いてこの発光素子の光強度を徐々に大きくする。この結果、図７に示すように、発光点は、表示画面１６の横方向に一筋に配列された各画素１７の位置と順次一致するように移動する。なお、図７中の矢示ＡＲ１は発光点が移動する方向を示している。発光制御部２７は、表示画面１６の横方向において、一方の端に位置する画素から他方の端に位置する画素に至るまで発光点を移動させる。【００４８】
次に、発光制御部２７は、バックライト領域２６の縦方向に発光点を移動させる。具体的には、発光制御部２７は、発光点の位置が、表示画面１６またはディスプレイ基板１４の縦方向に配列された各画素１７の位置と一致するように、発光点を移動させる。発光点の縦方向の移動は、バックライト領域２６の縦方向に連続して配列されたおよそ６個ないし１０個の発光素子２４の全部または一部の発光・非発光を切り替え、または、バックライト領域２６の縦方向に連続して配列されたおよそ６個ないし１０個の発光素子２４の全部または一部から発せられる光の強度（強度比）をそれぞれ変化させることにより行う。【００４９】
例えば、図８に示すように、発光制御部２７は、表示画面１６の第１行目に配列された画素に沿って発光点を移動させた後、発光点を位置Ｐ５へ移動させる。続いて、発光制御部２７は、表示画面１６の第２行目に配列された画素に沿って発光点を移動させた後、発光点を位置Ｐ６へ移動させる。続いて、発光制御部２７は、表示画面１６の第３行目に配列された画素に沿って発光点を移動させた後、発光点を位置Ｐ７へ移動させる。このように発光点の位置が変わることにより、発光範囲もＲ５、Ｒ６、Ｒ７と変わる。発光点の位置Ｐ５、Ｐ６、Ｐ７への移動は、発光素子（１、１）、発光素子（２、１）、発光素子（３、１）、発光素子（１、２）、発光素子（２、２）および発光素子（３、２）の発光・非発光を切り替え、かつ、これらの発光素子から発せられる光の強度をそれぞれ適宜に変化させることにより行う。すなわち、表示画面１６の第１行目に配列された画素に沿って発光点を移動させた後、発光点を位置Ｐ５へ移動させるときには、発光制御部２７は、発光素子（１、１）、発光素子（２、１）および発光素子（３、１）の光強度を小さくし、これと同時に、発光素子（１、２）、発光素子（２、２）および発光素子（３、２）を小さい光強度で発光させる。続いて、表示画面１６の第２行目に配列された画素に沿って発光点を移動させた後、発光点を位置Ｐ６へ移動させるときには、発光制御部２７は、発光素子（１、１）、発光素子（２、１）および発光素子（３、１）の光強度をさらに小さくし、これと同時に、発光素子（１、２）、発光素子（２、２）および発光素子（３、２）の光強度を大きくする。続いて、表示画面１６の第３行目に配列された画素に沿って発光点を移動させた後、発光点を位置Ｐ７へ移動させるときには、発光制御部２７は、発光素子（１、１）、発光素子（２、１）および発光素子（３、１）の光強度をさらに小さくし、これと同時に、発光素子（１、２）、発光素子（２、２）および発光素子（３、２）の光強度をさらに大きくする。この結果、図９に示すように、発光点は、表示画面１６の縦方向に配列された各画素１７の位置と一致するように移動する。【００５０】
発光制御部２７は、上述したような発光点の横方向の移動と縦方向の移動とを繰り返し行うことにより、表示画面１６中の画素１７の配列に沿うように発光点を移動させる。これにより、発光素子２４および発光制御部２７により作り出された点状の光は、あたかもＣＲＴディスプレイ装置の電子ビームが表示画面を走査するが如く、表示画面１６中のすべての画素１７を順次照射する。いわば、バックライトにより表示画面の走査が行われるのである。【００５１】
さらに、発光制御部２７は、発光点の移動を、液晶ディスプレイパネルユニット１０における画像表示動作と同期させる。具体的には、発光制御部２７は、発光点の移動開始から発光点の移動終了までの発光点移動期間の長さが、液晶ディスプレイパネルユニット１０において１個の画像（１画面の画像）が表示画面１６に表示される画像表示周期の１周期の長さよりも短くなるように、発光点の移動を制御する。【００５２】
例えば、図１０中の、期間Ｄ１は、例えば１フィールドの画像が表示画面１６に表示される画像表示周期の１周期（例えば１／６０秒）を示している。また、期間Ｄ２は、当該画像を表示させるために液晶１５の分子の向きの設定を開始してから、液晶１５の分子の向きが当該画像を適切に表示し得る状態に至るまでにかかる期間を示している。期間Ｄ２は、液晶１５の応答性などを考慮して決定される。また、期間Ｄ３は、発光点の移動開始から発光点の移動終了までの発光点移動期間を示している。【００５３】
例えば、発光点移動期間Ｄ３は、発光点が、表示画面１６の最上端かつ最左端に配置された画素１７に対応する位置から移動を開始し、表示画面１６の最下端かつ最右端に配置された画素１７に対応する位置に到達するまでの期間である。図１０に示すように、液晶１５の分子の向きが１フィールドの画像を適切に表示し得る状態になった後から、発光点の移動が開始される。そして、画像表示周期の当該１周期が終わるまでに、発光点の移動が完了する。【００５４】
液晶ディスプレイパネルユニット１０において動画が映し出されるときには、１フィールドごとに動きのある画像が次々と表示画面１６に表示される。このようなときには、１フィールドごとに、発光点移動期間Ｄ３において、表示画面１６の最上端かつ最左端に配置された画素１７に対応する位置から、表示画面１６の最下端かつ最右端に配置された画素１７に対応する位置まで、発光点の移動が行われる。【００５５】
一方、全体発光モードが選択されたとき、発光制御部２７は、バックライト領域２６中に配列されたすべての発光素子２４を同時にかつ継続的に発光させ、これらすべての発光素子２４から発せられる光の強度を一定に維持する。これにより、バックライト領域２６全体が均一の明るさで発光し、この発光が、例えば静止画が表示画面１６に表示されている間維持される。【００５６】
他方、図４中の光量調整部２８は、発光点移動モード実行時におけるバックライト領域２６全体の光量と全体発光モード実行時におけるバックライト領域２６全体の光量との相違をなくしまたは減少させるように、発光素子２４から発せられる光の強度などを調整する。上述したように、光量調整部２８は、例えば記憶装置および調整回路を備えている。【００５７】
記憶装置には、例えば、発光点移動モード実行時におけるバックライト領域２６全体の輝度情報と、全体発光モード実行時におけるバックライト領域２６全体の輝度情報とが記憶されている。【００５８】
これらの輝度情報は、例えば次のように生成され、記憶される。すなわち、液晶ディスプレイ装置１００の使用開始時などに、ユーザが輝度調整を行う旨の指示を液晶ディスプレイ装置１００に入力する。これに応じ、バックライトユニット２０は、輝度情報収集処理を実行する。輝度情報収集処理において、バックライトユニット２０は、全体発光モードで発光素子２４を発光させ、このときの平均輝度を測定し、この測定結果を記憶する。
続いて、バックライトユニット２０は、発光点移動モードで発光素子２４を発光させ、このときの平均輝度を測定し、この測定結果を記憶する。これら平均輝度の測定は、表示画面１６またはバックライト領域２６の数箇所について行うことが望ましい。これにより、輝度のばらつきを抑えることができる。【００５９】
調整回路は、上記記憶装置に記憶された輝度情報に基づいて、発光制御部２７から各発光素子２４へ印加される電圧を調整し、これにより、発光点移動モード実行時における各発光素子２４の光強度範囲または光強度変化率などを設定し、そして全体発光モード実行時おける各発光素子２４の光強度などを設定する。【００６０】
以上説明したとおり、バックライトユニット２０では、発光点移動モード実行時に、バックライト領域２６中において発光点を移動させる。これにより、動画ぼけを軽減することができる。すなわち、バックライトユニット２０では、発光素子２４の発光制御により形成される点状の光を移動させるため、表示画面１６中の同一場所（表示画面１６内の一部の小さな領域）において光が放たれる期間が一瞬であり、言い換えれば、表示画面１６中の同一場所において光が消えている期間が長い。この結果、バックライトユニット２０によれば、十分な動画ぼけ除去効果を得ることができる。【００６１】
さらに、バックライトユニット２０では、発光点をバックライト領域の横方向および縦方向に移動させ、発光点を画素の配列に沿うように移動させる。この発光点の動きは、ＣＲＴディスプレイ装置における電子ビームによる走査の動きとほぼ同様である。これにより、ＣＲＴディスプレイ装置に匹敵する程度に動画ぼけ除去効果を高めることができる。【００６２】
また、発光素子２４は、バックライト領域２６の横方向において、赤色発光素子、緑色発光素子、青色発光素子の配列パターンを複数回繰り返すように配列されており、発光制御部２７は、このような配列パターンを有して、互いに近接する２個以上の発光素子からそれぞれ発せられる光の強度比を変化させることにより、発光点を横方向に移動させる。
すなわち、図６に示すように、発光点を位置Ｐ１から位置Ｐ４へ移動させるときには、発光制御部２７は、赤色発光素子（１、１）の光強度を徐々に小さくし、これと同時に赤色発光素子（４、１）の光強度を徐々に大きくする。これにより、発光点および発光範囲における光の色を純粋な白色に維持しながら、発光点を横方向に連続的に移動させることができる。【００６３】
さらに、発光制御部２７は、縦方向において互いに隣接する２個以上の発光素子からそれぞれ発せられる光の強度比を変化させることにより、発光点を縦方向に移動させる。これにより、発光点を縦方向に連続的に（小さな移動量ずつ細かく）移動させることができる。【００６４】
また、バックライトユニット２０では、例えば画像が動画であるときには発光点を移動させ（発光点移動モード）、画像が静止画であるときにはバックライト領域２６全体を発光させる（全体発光モード）。このように、フリッカが目立つ静止画表示時には、バックライト領域２６を全面点灯させることにより、フリッカの発生を効果的に抑制することができる。【００６５】
また、バックライトユニット２０では、発光点移動モード実行時と全体発光モード実行時とにおいて輝度の均一化を行う。これにより、画像表示が安定し、高画質感を高めることができる。【００６６】
なお、バックライトユニット２０では、発光点移動モード実行時において、発光素子２４の発光制御により形成される点状の光を移動させる。このため、表示画面中のきわめて小さな領域にのみ着目すると、例えば１フィールドの期間内において、この小さな領域から人間の目へ光（バックライト）が放たれるのは、ほんの一瞬（例えばμsecオーダの短い期間）である。しかし、発光素子２４を発光ダイオードにより構成することにより、十分に大きな光強度を有する点状の光を作り出すことができ、かつこの点状の光を高速に移動させることができる。これにより、ＣＲＴディスプレイ装置における電子ビームの移動が引き起こす残像効果と同様の残像効果を人間において生じさせることができる。この結果、人間は、表示画面１６またはバックライト領域２６における点状の光の移動を認識することができず、あたかも表示画面１６全体またはバックライト領域２６全体が同時に継続的に発光していると認識する。【００６７】
また、バックライトユニット２０は、まず、第１行目の画素配列に沿ってこの行の左端から右端まで右方向に発光点を移動させ、その後、発光点を下方向に移動させ、続いて第２行目の画素配列に沿ってこの行の左端から右端まで右方向に発光点を移動させるといった発光点移動方式を採用している。しかし、発光点移動方式はこれに限られない。例えば、まず、第１行目の画素配列に沿ってこの行の左端から右端まで右方向に発光点を移動させ、その後、発光点を下方向に移動させ、続いて第２行目の画素配列に沿ってこの行の右端から左端まで左方向に発光点を移動させるといった発光点移動方式でもよい。あるいは、第１列目の画素配列に沿ってこの列の上端から下端まで下方向に発光点を移動させ、その後、発光点を右方向に移動させ、続いて第２列目の画素配列に沿ってこの列の上端から下端まで下方向に発光点を移動させるといった発光点移動方式でもよい。【００６８】
また、バックライトユニット２０は、表示画面１６中のすべての画素１つ１つに発光点が一致するように、つまりすべての画素を完璧に走査するように、発光点を移動させる発光点移動方式を採用している。しかし、発光点移動方式はこれに限られない。例えば、画素を２、３行ごとまたは２、３列ごとに走査するように、発光点を移動させる発光点移動方式を採用してもよい。【００６９】
また、バックライトユニット２０では、ディスプレイパネル本体１１の背後に広がるバックライト領域２６中に発光素子２４をマトリクス状に配列する場合を例に挙げたが、本発明はこれに限られない。例えば、図１１に示すように、発光素子１２４を、支持板１２３上においてバックライト領域１２６の周囲に配置し、バックライト領域１２６には導光部材１２５を配置し、発光素子１２４から発せられる光を、導光部材１２５を介してディスプレイパネル本体１１の背後に導く構成としてもよい。この場合、例えば、バックライト領域１２６の上側に配列された発光素子１２４のうち第１番目の発光素子（赤色）、第２番目の発光素子（緑色）および第３番目の発光素子（青色）と、バックライト領域の下側に配列された発光素子１２４のうち第１番目の発光素子（赤色）、第２番目の発光素子（緑色）および第３番目の発光素子（青色）と、バックライト領域１２６の左側に配列された発光素子１２４のうち第１番目の発光素子（赤色）、第２番目の発光素子（緑色）および第３番目の発光素子（青色）と、バックライト領域の右側に配列された発光素子１２４のうち第１番目の発光素子（赤色）、第２番目の発光素子（緑色）および第３番目の発光素子（青色）とを点灯させ、これら以外のすべての発光素子１２４を消灯させる。これにより、バックライト領域１２６中の位置Ｐ１１に発光点を作り出すことができる。そして、バックライト領域１２６の上側および下側に配列された発光素子１２４の発光・非発光および光強度を制御することにより、発光点を横方向に移動させることができる。さらに、バックリライト領域１２６の左側および右側に配列された発光素子１２４の発光・非発光および光強度を制御することにより、発光点を縦方向に移動させることができる。なお、バックライト領域１２６の下側および上側のうちのいずれか一方には、発光素子を配列せずに、反射板を設けてもよい。また、バックライト領域１２６の左側および右側のうちのいずれか一方には、発光素子を配列せずに、反射板を設けてもよい。【００７０】
（第２実施形態）
図１２は、本発明の液晶ディスプレイ装置の第２実施形態におけるバックライトユニットのバックライト制御部を示している。第２実施形態におけるバックライトユニットでは、表示画面に表示される画像中において動きを有する領域、つまり動き領域を検出し、動き領域に対応するバックライト領域中の部分領域内に限り、または動き領域を含む表示画面中の一部の領域に対応するバックライト領域中の部分領域内に限り、発光点を移動させる。なお、液晶ディスプレイ装置の第２実施形態の構成は、図１２に示すバックライト制御部３０を除き、液晶ディスプレイ装置の第１実施形態と同じである。【００７１】
図１２に示すように、第２実施形態におけるバックライトユニットのバックライト制御部３０は、発光制御部３１、動き領域検出部３２および光量調整部３３を備えている。【００７２】
発行制御部３１は、第１実施形態における発光制御部２７と同様に、各発光素子の発光・非発光あるいは各発光素子の光強度を制御する。発光制御部３１は、例えば個々の発光ダイオードに印加する電圧をそれぞれ制御する電圧制御回路である。なお、発光制御部３１は、発光制御手段、横方向移動手段および縦方向移動手段の具体例である。【００７３】
動き領域検出部３２は、表示画面に表示される画像中において動きを有する領域、つまり動き領域を検出する。さらに、動き領域検出部３２は、動き領域に対応するバックライト領域中の部分領域、または動き領域を含む表示画面中の一部の領域に対応するバックライト領域中の部分領域（以下、これを「発光点移動領域」という。）を設定する。動き領域検出部３２は、例えば演算処理回路などにより構成されている。【００７４】
光量調整部３３は、発光点移動領域における光量と、発光点移動領域以外の領域における光量との相違をなくしまたは減少させるように、発光素子から発せられる光の強度などを調整する。光量調整部３３は、例えば記憶装置および調整回路から構成されている。なお、光量調整部３３は第２調整手段の具体例である。【００７５】
バックライト制御部３０は例えば次のように動作する。発光点移動モード実行時において、動き領域検出部３２は、表示画面に表示される画像の動き領域を検出する。動き領域の検出は、例えばＭＰＥＧデコード処理において得られる動き情報（例えば２フィールドまたは２フレーム間における画像の差分情報）を用いて行うことができる。【００７６】
続いて、動き領域検出部３２は、バックライト領域内に発光点移動領域を設定する。発光点移動領域は、動き情報に基づいて演算を行うことにより設定することができる。例えば、図１３に示すように、表示画面１６に表示される画像中において、複数の動き領域４１、４２が互いに近接しているときは、複数の動き領域４１、４２に対応するバックライト領域の部分領域を含む発光点移動領域４３を設定する。一方、図１４に示すように、複数の動き領域５１、５２が離れているときは、動き領域５１、５２ごとに発光点移動領域５３、５４を設定する。【００７７】
続いて、動き領域検出部３２は、発光点移動領域を特定するための位置情報を発光制御部３１に出力する。例えば、発光点移動領域の形状が、図１３または図１４に示すように、各辺の向きが画素の配列方向に沿った方形である場合には、動き領域検出部３２は、発光点移動領域の最上端かつ最左端の座標を示す座標情報と、発光点移動領域の最下端かつ最右端の座標を示す座標情報とを発光制御部３１に出力する。【００７８】
続いて、発光制御部３１は、動き領域検出部３２から出力された位置情報（座標情報）に基づいて、発光点移動領域を特定する。そして、発光制御部３１は、発光点移動領域内において発光点を移動させる。発光点の移動は、発光点移動領域に対応する表示画面中の領域に配列された画素に沿うように行う。すなわち、発光制御部３１は、発光素子により作り出された点状の光で画素を走査するが如く、発光点移動領域内において発光点を移動させる。例えば、発光点移動領域の形状が、図１３または図１４に示すように、各辺の向きが画素の配列方向に沿った方形である場合には、発光制御部３１は、発光点移動領域の最上端かつ最左端の位置から、発光点移動領域の最下端かつ最右端の位置まで、発光点を移動させる。さらに、発光制御部３１は、発光点移動期間Ｄ３内（図１０参照）において発光点の移動が完了するように、発光点の移動速度を設定する。【００７９】
さらに、発光制御部３１は、発光点移動領域内において発光点の移動を行うと同時に、バックライト領域において発光点移動領域以外の領域に配列されたすべての発光素子を同時にかつ継続的に発光させ、これらすべての発光素子から発せられる光の強度を一定に維持する。これにより、発光点移動領域を除くバックライト領域全体が均一の明るさで発光し、この発光が、例えば１フィールドの期間維持される。【００８０】
他方、光量調整部３３は、発光点移動領域における光量と、発光点移動領域以外の領域における光量との相違をなくしまたは減少させるように、発光素子から発せられる光の強度などを調整する。例えば、光量調整部３３は、バックライト領域内に仮に設定された発光点移動領域の面積情報と、この発光点移動領域における輝度情報と、バックライト領域においてこの発光点移動領域以外の領域における輝度情報との組み合わせを例えば１０組、記憶装置に記憶している。【００８１】
これらの輝度情報の組み合わせは、例えば次のように生成され、記憶される。すなわち、液晶ディスプレイ装置の使用開始時などに、ユーザが輝度調整を行う旨の指示を液晶ディスプレイ装置に入力する。これに応じ、バックライトユニットは、輝度情報収集処理を実行する。輝度情報収集処理において、バックライトユニットは、図１５に示すように、バックライト領域２６中に、予め面積が定められた発光点移動領域６１を設定する。続いて、バックライトユニットは、発光点移動モードで発光点移動領域６１内において発光素子を発光させ、これにより作り出された発光点を発光点移動領域６１内において移動させる。そして、バックライトユニットは、このときの平均輝度を測定する。続いて、バックライトユニットは、発光点移動領域６１を除くバックライト領域２６全体を均一の明るさで発光させ、このときの平均輝度を測定する。続いて、バックライトユニットは、発光点移動領域６１の面積を示す面積情報と、発光点移動領域６１内における平均輝度を示す輝度情報と、発光点移動領域６１以外の領域における平均輝度を示す輝度情報とをそれぞれ組み合わせ、これらの情報の組み合わせを、光量調整部３３の記憶装置に記憶する。【００８２】
続いて、バックライトユニットは、バックライト領域２６中に、予め面積が定められた発光点移動領域６２を設定する。発光点移動領域６２の面積は、発光点移動領域６１の面積よりも大きい。続いて、バックライトユニットは、発光点移動モードで発光点移動領域６２内において発光素子を発光させ、これにより作り出された発光点を発光点移動領域６２内において移動させる。そして、バックライトユニットは、このときの平均輝度を測定する。続いて、バックライトユニットは、発光点移動領域６２を除くバックライト領域２６全体を均一の明るさで発光させ、このときの平均輝度を測定する。続いて、バックライトユニットは、発光点移動領域６２の面積を示す面積情報と、発光点移動領域６２内における平均輝度を示す輝度情報と、発光点移動領域６２以外の領域における平均輝度を示す輝度情報とをそれぞれ組み合わせ、これらの情報の組み合わせを、光量調整部３３の記憶装置に記憶する。【００８３】
同様にして、バックライトユニットは、バックライト領域２６中に、それぞれ異なる面積を有する発光点移動領域６３、６４、…、７０を順次設定し、各発光点移動領域について、発光点移動領域内の平均輝度の測定、発光点移動領域以外の領域の平均輝度の測定、そして面積情報および輝度情報の記憶を行う。この結果、光量調整部３３の記憶装置には、面積情報および輝度情報の組み合わせが１０組記憶される。【００８４】
なお、輝度情報収集処理において収集する輝度情報等は１０組に限られない。例えば、それぞれ面積の異なるより多くの発光点移動領域を設定し、より多くの輝度情報を収集してもよい。また、同一面積を有する複数の発光点移動領域をバックライト領域２６内の異なる位置に順次設定し、より多くの輝度情報を収集してもよい。【００８５】
光量調整部３３の調整回路は、上記記憶装置に記憶された面積情報および輝度情報に基づいて、発光制御部３１から各発光素子へ印加される電圧を調整し、これにより、発光点移動領域内において発光点を作り出す各発光素子の光強度範囲または光強度変化率などを設定し、そして発光点移動領域以外の領域において均一の明るさで発光する各発光素子の光強度などを設定する。具体的には、調整回路は、記憶装置に記憶された面積情報の中から、動き領域検出部３２により設定された発光点移動領域の面積にもっとも近い面積を示している面積情報を選択し、この面積情報と組み合わされている輝度情報に基づいて、各発光素子の光強度などの設定を行う。【００８６】
以上説明したとおり、第２実施形態におけるバックライトユニットでは、表示画面に表示される画像中における動き領域を検出し、発光点移動領域内に限り、発光点を移動させる。そして、バックライト領域において発光点移動領域以外の領域では、発光点の移動を行わず、当該領域全体を均一な明るさで発光させる。これにより、発光点移動領域内においては、ＣＲＴディスプレイ装置に匹敵する程度に動画ぼけ除去効果を高めることができ、発光点移動領域以外の領域においてはフリッカを抑制することができる。つまり、第２実施形態におけるバックライトユニットによれば、フリッカの抑制と動画ぼけ除去効果とを同時にバランスよく実現することができる。
【実施例】
【００８７】
以下、本発明の実施例について図１６を参照しながら説明する。以下の実施例は、本発明のバックライト装置または液晶ディスプレイ装置を液晶テレビジョンシステムに適用した例である。【００８８】
図１６中の液晶テレビジョンシステム２００において、テレビ放送局から送信されたデジタルテレビ信号は、アンテナ２０１により受信され、デジタルチューナ２０２に入力される。デジタルチューナ２０２は、デジタルテレビ信号の中から、１個の番組に関する画像データを抽出し、これをＭＰＥＧデコーダ２０３に供給する。ＭＰＥＧデコーダ２０３は、バッファメモリ２０４と協働することにより、画像データをデコードし、デコードした画像データをフレームメモリ２０５に供給する。画像制御回路２０６は、必要に応じて、補間画像データなどを生成する。フレームメモリ２０５は、ＭＰＥＧデコーダ２０３によりデコードされた画像データ、または画像制御回路２０６により生成された補間画像データなどを保持し、この画像データを所定のタイミングで液晶制御回路２０７に供給する。画像データの液晶制御回路２０７への供給のタイミングは、同期信号生成回路２１４により生成された同期信号に基づいて設定される。液晶制御回路２０７は、供給された画像データに基づいてＴＦＴ駆動信号を生成し、これを液晶ディスプレイパネル本体２０８に供給する。これにより、液晶ディスプレイパネル本体２０８に設けられたＴＦＴにより、液晶ディスプレイパネル本体２０８に設けられた液晶の分子の向きが、画像データに応じて設定される。【００８９】
一方、ＭＰＥＧデコーダ２０３は、デコード処理の過程で得られた動き情報を、バックライト制御部２０９の動き検出回路２１１に供給する。発光点移動モードが選択されている場合、動き検出回路２１１は、動き情報に基づいて、液晶ディスプレイパネル本体２０８の表示画面に表示される画像の動き領域を検出する。続いて、動き検出回路２１１は、バックライト本体２１３のバックライト領域内に発光点移動領域を設定する。続いて、動き検出回路２１１は、発光点移動領域を特定するための位置情報を発光制御回路２１０に出力する。続いて、発光制御回路２１０は、動き検出回路２１１から出力された位置情報に基づいて、発光点移動領域を特定する。【００９０】
バックライト本体２１３のバックライト領域には複数の発光素子がマトリクス状に配列されている。発光制御回路２１０は、これらの発光素子の発光・非発光の切替および光強度の制御を、発光素子ごとに行う。具体的には、発光制御回路２１０は、バックライト領域に配列された発光素子のうち発光点移動領域内に配列された発光素子の発光・非発光を切り替え、かつ発光中の発光素子の光強度を変化させ、これにより発光点移動領域内に発光点（点状の光）を作り出し、この発光点を発光点移動領域内において移動させる。また、発光制御回路２１０は、同期信号生成回路２１４により生成された同期信号に基づいて、発光点を移動させ、これにより、発光点の移動を、液晶制御回路２０７および液晶ディスプレイパネル本体２０８における画像表示動作と同期させる。【００９１】
さらに、発光制御回路２１０は、発光点移動領域内において発光点を移動させるのと同時に、バックライト領域において発光点移動領域以外の領域に配列されたすべての発光素子を同時にかつ継続的に発光させ、これらすべての発光素子から発せられる光の強度を一定に維持する。【００９２】
他方、光量調整回路２１２は、発光制御回路２１０から各発光素子に供給される電圧を調整し、これにより、発光点移動領域における光量と発光点移動領域以外の領域における光量との相違をなくしまたは減少させるように、発光素子から発せられる光の強度を調整する。【００９３】
ＣＰＵ２１５は、以上のような液晶テレビジョンシステム２００における各素子、各回路、各部ないし各装置の動作を統括する。【００９４】
以上のような液晶テレビジョンシステム２００によれば、バックライト本体２１３のバックライト領域に設定された発光点移動領域内において発光点を移動させることにより、液晶ディスプレイパネル本体２０８の表示画面に表示される動画のぼけを軽減ないし除去することができる。これと同時に、バックライト領域内の発光点移動領域以外の領域全体を均一の明るさで発光させることにより、当該領域においてフリッカの発生を抑制することができる。このように、液晶テレビジョンシステム２００によれば、フリッカの発生を抑制しつつ、動画ぼけ除去効果を高めることができる。【００９５】
なお、上述した説明では、本発明を液晶ディスプレイ装置または液晶テレビジョンシステムに適用した場合を例に挙げたが、本発明はこれに限られない。例えば、バックライトを有する電子ペーパーに本発明を適用することもできる。【００９６】
また、本発明は、請求の範囲および明細書全体から読み取るこのできる発明の要旨または思想に反しない範囲で適宜変更可能であり、そのような変更を伴うバックライト装置および液晶ディスプレイ装置もまた本発明の技術思想に含まれる。
【産業上の利用可能性】
【００９７】
本発明に係るバックライト装置および液晶ディスプレイ装置は、例えばテレビジョンやパソコン用モニターなどに利用可能である。
【図１】
0004475438.tif 000002
【図２】
0004475438.tif 000003
【図３】
0004475438.tif 000004
【図４】
0004475438.tif 000005
【図５】
0004475438.tif 000006
【図６】
0004475438.tif 000007
【図７】
0004475438.tif 000008
【図８】
0004475438.tif 000009
【図９】
0004475438.tif 000010
【図１０】
0004475438.tif 000011
【図１１】
0004475438.tif 000012
【図１２】
0004475438.tif 000013
【図１３】
0004475438.tif 000014
【図１４】
0004475438.tif 000015
【図１５】
0004475438.tif 000016
【図１６】
0004475438.tif 000017